(57)【特許請求の範囲】
【請求項１】
磁気共鳴診断のために患者に局所コイルを取り付けるためのアッセンブリであって、
−磁気共鳴信号を受信するために構成されている少なくとも１つの局所コイルと、
−該少なくとも１つの局所コイルを収容するために、および患者に該少なくとも１つの局所コイルを取り付けるために構成されている支持装置と
が設けられている形式のものにおいて、
−該支持装置がガス充填されたクッションとして構成されており、該クッションがその形状をガス圧に関連して変化させ、
−該ガス充填されたクッションが、ガス圧変更のための装置を有しており、これによりガス圧変更が行われる場合、局所アンテナが前記クッションの形状変化により患者に押し付けられ、
−該クッションが、ベースプレートを有しており、
−該ベースプレートが、非通気性の硬質フォームから成る層に結合されており、
−該硬質フォームが切欠きを有しており、該切欠きが、通気性のある軟質フォームによって少なくとも部分的に充填されていることを特徴とする、磁気共鳴診断のために患者に局所コイルを取り付けるためのアッセンブリ。
【請求項２】
前記ベースプレートが弾性的なプラスチックプレートとして形成されている、請求項１記載のアッセンブリ。
【請求項３】
前記ベースプレートと前記非通気性の硬質フォームとの結合が、接着結合部として構成されている、請求項１記載のアッセンブリ。
【請求項４】
前記ベースプレートと前記硬質フォームと前記軟質フォームとから形成されたユニットが、非通気性のカバー内に押し込まれており、該カバーが前記ユニットの押込み後に真空密に接着されている、請求項１から３までのいずれか一項記載のアッセンブリ。
【請求項５】
前記カバーが、該カバーの内部でガス圧を調節するために前記ガス圧変更のための装置を有している、請求項４記載のアッセンブリ。
【請求項６】
前記ガス圧変更のための装置がチューブまたは弁として形成されている、請求項５記載のアッセンブリ。
【請求項７】
前記局所コイルがフレキシブルに変形可能に構成されている、請求項１記載のアッセンブリ。
【請求項８】
−前記局所コイルが、前記クッションの組込み式の部分として構成されているか、または
−前記クッションが、ポケット状の収容部を有しており、該収容部内に前記局所コイルが差込み可能であるか、または
−前記クッションが面ファスナを有しており、該面ファスナが、該クッションに前記局所コイルを取り付けるために使用可能である、請求項１記載のアッセンブリ。
【請求項９】
前記クッションが、磁気共鳴装置の組込み式の定位置の構成部材として形成されている、請求項１記載のアッセンブリ。
【請求項１０】
前記クッションが、ガスとして周辺空気によって充填されている、請求項１記載のアッセンブリ。
【請求項１１】
磁気共鳴診断のために患者に少なくとも１つの局所コイルを取り付けるための支持装置であって、
−該支持装置が、ガス充填されたクッションとして構成されており、該クッションがその形状をガス圧に関連して変化させ、
−該ガス充填されたクッションが、ガス圧変更のための装置を有しており、これによってガス圧変更が行われる場合、局所アンテナが該クッションの形状変化により患者に押し付けられ、
−該クッションがベースプレートを有しており、
−該ベースプレートが、非通気性の硬質フォームから成る層に結合されており、
−該硬質フォームが切欠きを有しており、該切欠きが、通気性のある軟質フォームによって少なくとも部分的に充填されていることを特徴とする、磁気共鳴診断のために患者に少なくとも１つの局所コイルを取り付けるための支持装置。
【請求項１２】
前記ベースプレートが、弾性的なプラスチックプレートとして形成されている、請求項１１記載の支持装置。
【請求項１３】
前記ベースプレートと前記非通気性の硬質フォームとの結合が、接着結合部として構成されている、請求項１２記載の支持装置。
【請求項１４】
前記ベースプレートと前記硬質フォームと前記軟質フォームとから形成されたユニットが、非通気性のカバー内に押し込まれており、該カバーが、前記ユニットの押込み後に真空密に接着されている、請求項１１から１３までのいずれか一項記載の支持装置。
【請求項１５】
前記カバーが、該カバーの内部でガス圧を調節するために前記ガス圧変更のための装置を有している、請求項１４記載の支持装置。
【請求項１６】
前記ガス圧変更のための装置が、チューブまたは弁として形成されている、請求項１５記載の支持装置。
【発明の詳細な説明】
【技術分野】
【０００１】
本発明は、磁気共鳴診断のために局所コイルを患者に取り付けるためのアッセンブリであって、磁気共鳴信号を受信するために構成されている少なくとも１つの局所コイルと、少なくとも１つの局所コイルを収容するためおよび患者に少なくとも１つの局所コイルを取り付けるために構成されている支持装置とが設けられている形式のものに関し、且つ磁気共鳴診断のために患者に少なくとも１つの局所コイルを取り付けるための支持装置に関していて、当該アッセンブリおよび当該支持装置が、局所コイルを患者の解剖学的構造に局所コイルを取り付ける。
【背景技術】
【０００２】
磁気共鳴診断においては、局所コイルは磁気的な信号を受診するために使用される。信号ノイズ比（ＳＮＲ）を獲得するために、局所コイルは可能な限り患者の診断したい領域に近づけて取り付けられる。この場合、フレキシブルに構成された局所コイルが有効であることが実証された。この局所コイルは「フレックスコイル（Ｆｌｅｘｃｏｉｌ）」と呼称され、そのフレキシビリティに基づき、局所コイルの患者の解剖学的構造もしくは身体形状への適合を可能にする。
【０００３】
このフレキシブルな局所コイルは、一般的に緊締ベルトで比較的大きな手間を掛けて患者に位置固定される。たとえば胸部の測定のために、複数の局所コイルを精確に位置決めして患者に取り付ける必要がある。
【０００４】
使用される緊締ベルトは、局所コイルに比べて比較的扱いにくく、診断中に患者を締め付ける。
【０００５】
緊締ベルトによる局所コイルの取付けにより、使用する局所コイルの位置および個数の追補的な変更は不可能もしくは大きな手間を掛けてのみ可能である。
【０００６】
種々異なる身体領域の診断のために、種々異なる各身体形状に基づき、適切に構成されたもしくは変形された複数の局所コイルを提供することが必要不可欠である。
【発明の開示】
【発明が解決しようとする課題】
【０００７】
従って、本発明の課題は、冒頭で述べた形式の患者に局所コイルを取り付けるためのアッセンブリおよび支持装置を改良して、患者の空間的な締付けを軽減しながら僅かな手間で診断を可能にする形式のものを提供する。
【課題を解決するための手段】
【０００８】
この課題を解決するために本発明の構成では、支持装置がガス充填されたクッションとして構成されており、該クッションがその形状をガス圧に関連して変化させ、ガス充填されたクッションが、ガス圧変更のための装置を有しており、これによりガス圧変更が行われる場合、局所アンテナがクッションの形状変化により患者に押し付けられるようにした。
【０００９】
有利な改良形が従属請求項に記載されている。
【発明の効果】
【００１０】
磁気共鳴診断のために患者に局所コイルを取り付けるための本発明によるアッセンブリは、少なくとも１つの局所コイルを有している。この局所コイルは磁気共鳴信号を受信するために構成されている。少なくとも１つの局所コイルの収容のためおよび患者への少なくとも１つの局所コイルを取り付けるために形成されている支持装置が付加的に使用される。
【００１１】
支持装置はガス充填されたクッションとして構成されている。このクッションの形状はガス圧に関係して変化する。クッションはガス圧変更のための装置を有している。ガス圧変更が行われる場合には、局所アンテナはクッションの形状変化により患者に押し付けられる。
【００１２】
有利な構成では、ガスとして普通の周辺空気もしくは呼吸気が使用される。弁を介しての空気の排出により、局所コイルはクッションの形状変化により患者の身体に合わせて変形される。
【００１３】
変形の度合もしくは変形圧は、空気の排出時に発生する真空度により調節される。従って、患者における空間的な締付けの感覚は、排気過程の制御により比較的僅かな手間で回避することができる。
【００１４】
別の有利な構成では、診断に使用される局所コイルはフレキシブルに構成されていて、公知の「フレックスコイル（Ｆｌｅｘｃｏｉｌ）」を参照できる。従って、局所コイルの患者に合わせた変形のさらなる最適化が達成される。
【００１５】
さらに別の有利な構成では、局所コイルはクッションの組み込まれる部分である。
【００１６】
これに対して択一的にはクッションは、たとえばポケット状の収容部を有している。この収容部内に局所コイルを差込み可能である。この事例では局所コイルはその個数もしくは患者の身体における局所コイルの位置を追補的に変更することもできる。
【００１７】
これに対して択一的には局所コイルを、たとえば面ファスナによってクッションのほぼ各個所に取り付けることが可能である。
【００１８】
クッションに局所コイルを追補的に取り付けることが可能であることにより、診断したい身体部位の追補的な選択が可能になる。
【００１９】
有利な構成では局所コイルを備えたクッションは磁気共鳴装置の定位置の構成部材として形成されている。たとえばクッションと局所コイルとから成るユニットを翼状もしくはマット状に形成することができる。搬送台に寝かされている患者を磁気共鳴装置内に搬入する場合、前記ユニットの翼状体が患者に重ねられる。次いで空気の真空化により患者の身体に合わせた翼状体の変形が達成される。
【００２０】
本発明のアッセンブリによって、種々異なる複数の患者への局所コイルの自動的で、解剖学的に正確な適合が実現可能である。
【００２１】
本発明によるアッセンブリによって、種々異なる患者の身体領域を１つのクッションコイルユニットによってのみ診断することが可能である。
【００２２】
従って、種々異なって変形された局所コイルに対する相当な調達コストを節約することができる。
【００２３】
有利には簡単な取扱いにより磁気共鳴装置における患者交番は高められ、これまで必要であった患者準備時間は最小になる。
【００２４】
クッションの達成可能な形状に応じて、１つのクッション局所コイルユニットだけで一人の患者の種々異なる身体領域を診断することが可能である。たとえば一人の患者の上半身の他に、第２の貫通部において前記患者の脚部を診断することも可能である。このことは以下で図６および図７において示される。
【００２５】
本発明に係る磁気共鳴診断のために患者に局所コイルを取り付けるためのアッセンブリは、磁気共鳴信号を受信するために構成されている少なくとも１つの局所コイルと、少なくとも１つの局所コイルを収容するために、および患者に少なくとも１つの局所コイルを取り付けるために構成されている支持装置とが設けられている形式のものにおいて、支持装置がガス充填されたクッションとして構成されており、該クッションがその形状をガス圧に関連して変化させ、ガス充填されたクッションが、ガス圧変更のための装置を有しており、これによりガス圧変更が行われる場合、局所アンテナがクッションの形状変化により患者に押し付けられることを特徴とする。
【００２６】
本発明に係るアッセンブリは、有利には、クッションが、ベースプレートを有しており、ベースプレートが、非通気性の硬質フォームから成る層に結合されており、硬質フォームが切欠きを有しており、該切欠きが、通気性のある軟質フォームによって少なくとも部分的に充填されている。
【００２７】
本発明に係るアッセンブリは、有利には、ベースプレートが弾性的なプラスチックプレートとして形成されている。
【００２８】
本発明に係るアッセンブリは、有利には、ベースプレートと非通気性の硬質フォームとの間の結合部が、接着結合部として構成されている。
【００２９】
本発明に係るアッセンブリは、有利には、ベースプレートと硬質フォームと軟質フォームとから形成されたユニットが、非通気性のカバー内に押し込まれており、該カバーが前記ユニットの押込み後に真空密に接着されている。
【００３０】
本発明に係るアッセンブリは、有利には、カバーが、該カバーの内部でガス圧を調節するためにガス圧変更のための装置を有している。
【００３１】
本発明に係るアッセンブリは、有利には、ガス圧変更のための装置がチューブまたは弁として形成されている。
【００３２】
本発明に係るアッセンブリは、有利には、局所コイルがフレキシブルで変形可能に構成されている。
【００３３】
本発明に係るアッセンブリは、有利には、局所コイルが、クッションの組み込まれる部分として構成されているか、またはクッションが、ポケット状の収容部を有しており、該収容部内に局所コイルが差込み可能であるか、またはクッションが面ファスナを有しており、該面ファスナが、クッションに局所コイルを取り付けるために使用可能である。
【００３４】
本発明に係るアッセンブリは、有利には、クッションが、磁気共鳴装置の組込み式の定位置の構成部材として形成されている。
【００３５】
本発明に係るアッセンブリは、有利には、クッションが、ガスとして周辺空気によって充填されている。
【００３６】
本発明に係る磁気共鳴診断のために患者に少なくとも１つの局所コイルを取り付けるための支持装置は、当該支持装置が、ガス充填されたクッションとして構成されており、該クッションがその形状をガス圧に関連して変化させ、ガス充填されたクッションが、ガス圧変更のための装置を有しており、これによってガス圧変更が行われる場合、局所アンテナがクッションの形状変化により患者に押し付けられることを特徴とする。
【００３７】
本発明に係るアッセンブリは、有利には、クッションがベースプレートを有しており、ベースプレートが、非通気性の硬質フォームから成る層に結合されており、硬質フォームが切欠きを有しており、該切欠きが、通気性のある軟質フォームによって少なくとも部分的に充填されている。
【００３８】
本発明に係るアッセンブリは、有利には、ベースプレートが、弾性的なプラスチックプレートとして形成されている。
【００３９】
本発明に係るアッセンブリは、有利には、ベースプレートと非通気性の硬質フォームとの間の結合部が、接着結合部として構成されている。
【００４０】
本発明に係るアッセンブリは、有利には、ベースプレートと硬質フォームと軟質フォームとから形成されたユニットが、非通気性のカバー内に押し込まれており、該カバーが、前記ユニットの押込み後に真空密に接着されている。
【００４１】
本発明に係るアッセンブリは、有利には、カバーが、該カバーの内部でガス圧を調節するためにガス圧変更のための装置を有している。
【００４２】
本発明に係るアッセンブリは、有利には、ガス圧変更のための装置が、チューブまたは弁として形成されている。
【発明を実施するための最良の形態】
【００４３】
以下に、本発明を実施するための最良の形態を図面につき詳しく説明する。
【００４４】
図１には本発明によるアッセンブリのクッションＫの例示的な基本構成が示されている。
【００４５】
クッションＫはベースプレートＢＰを有している。このベースプレートＢＰはたとえば弾性的なプラスチックプレートとして構成されている。ベースプレートＢＰにはたとえば接着結合により非通気性の硬質フォームＨＳから成る層が塗布されている。
【００４６】
非通気性の硬質フォームＨＳは切欠きＡＳを有している。この切欠きＡＳには通気性のある軟質フォームＷＳをストリップ形で配置することができる。たとえば非通気性の硬質フォームＨＳから長手方向ストリップが、切欠きＡＳを形成するために切り抜かれるかまたは打ち抜かれる。
【００４７】
切欠きＡＳには通気性のある軟質フォームＷＳが配置されるか、もしくは充填される。
【００４８】
ベースプレートＢＰと軟質フォームＷＳと硬質フォームＨＳとからの構成により、たとえばポリ塩化ビニルＰＶＣから成る非通気性のカバーＨＵＥ内に押し込まれるプレートが形成される。カバーＨＵＥはプレートの押込み後に真空密に接着される。
【００４９】
カバーＨＵＥはガス圧変更のための装置ＥＧとして弁または、カバーＨＵＥに接続されたチューブを有していて、これによって空気をカバーＨＵＥから排出することができる。
【００５０】
カバーＨＵＥはプレートと弁もしくはチューブと共に、最終的には本発明によるクッションＫを形成する。この場合、クッションＫは少なくとも１つの局所コイル（ここでは図示せず）のための支持体として形成されている。
【００５１】
図２にはクッションＫの通常状態が示されている。たとえばクッションＫは、その内部を通常の周辺空気圧が占めている場合、真っ直ぐで且つプレート状になっている。今やチューブＳを介して空気がクッションＫから吸い出されると、クッションＫは徐々に上方に湾曲し始める（図３および図４参照）。
【００５２】
この湾曲が起こるのは、図１に関連して通気性のある軟質フォームＷＳが空気の排出時に均一に収縮し、その一方でベースプレートＢＰに接着され非通気性の硬質フォームＨＳは形状安定的なままであり、ひいては縮みが起こらないからである。
【００５３】
通気性のある軟質フォームＷＳは、ベースプレートＢＰの反対側にある面において収縮し、この場合、硬質フォームＨＳのストリップ間に比較的僅かな間隔が強制される。その結果、ベースプレートＢＰひいては全クッションＫの形状変化をもたらす力が発生する。
【００５４】
形状変化はクッションＫにおいて調節される負圧の大きさに関連している。
【００５５】
クッションＫの自立した圧力に関連した形状変化により、磁気共鳴装置内でユニットとして付属の局所コイルを備えたクッションＫを既述したように組み込むことは比較的簡単に想像できる。
【００５６】
図２を参照することができるが、クッションＫは患者の上に翼状体の形で重ねられ、次いで圧力制御により患者に合わせて変形する。その結果、クッションＫは患者を、たとえば半円形に取り囲む（図３に示した形状を参照可能）。
【００５７】
図５には、ここではほぼ円形の横断面を有するクッションＫが示されている。
【００５８】
図６および図７には獲得可能な別の横断面形状を有するクッションＫが示されている。
【００５９】
図３〜図５のクッション形状は、たとえば胸部診断のために使用可能である一方で、図６および図７のクッション形状では今や患者の脚部を診断することができる。この場合、クッションおよび局所コイルから成るユニットを交換する必要はない。
【００６０】
要約すると、本発明においてクッションＫの空気もしくは充填ガスの真空下もしくは吸出しにより、クッションＫひいては１つの局所コイルもしくは複数の局所コイルの、患者の選択した身体個所に合わせた自動的な変形が実現される。
【００６１】
クッションの充填ガスとして例示的に記載された空気の代わりに、任意に圧縮可能な各媒体もしくはガスを使用することができる。
【００６２】
相応に、クッション内部の圧力上昇時のクッションの形状変化を引き起こす、クッションの構造体が考慮可能である。
【図面の簡単な説明】
【００６３】
【図１】本発明によるアッセンブリのクッションを例示的に示した基本図である。
【図２】本発明によるアッセンブリのクッションの達成可能な形状変化を示した図である。
【図３】本発明によるアッセンブリのクッションの達成可能な形状変化を示した図である。
【図４】本発明によるアッセンブリのクッションの達成可能な形状変化を示した図である。
【図５】本発明によるアッセンブリのクッションの達成可能な形状変化を示した図である。
【図６】本発明によるアッセンブリのクッションの達成可能な形状変化を示した図である。
【図７】本発明によるアッセンブリのクッションの達成可能な形状変化を示した図である。
【符号の説明】
【００６４】
ＡＳ  切欠き、  ＢＰ  ベースプレート、  ＥＧ  ガス圧変更のための装置、  ＨＳ  硬質フォーム、  ＨＵＥ  カバー、  Ｋ  クッション、  ＰＶＣ  ポリ塩化ビニル、  Ｓ  チューブ、  ＷＳ  軟質フォーム
【図１】
0005361262.tif 000002
【図２】
0005361262.tif 000003
【図３】
0005361262.tif 000004
【図４】
0005361262.tif 000005
【図５】
0005361262.tif 000006
【図６】
0005361262.tif 000007
【図７】
0005361262.tif 000008